(57)【要約】【課題】複雑な制御機能を付加することなく、慣性によるホルダ停止位置のずれの発生を抑制できるレンズ駆動装置を提供することを目的とする。【解決手段】レンズユニットを保持するとともに、該レンズユニットの光軸の方向に移動可能なホルダ１０と、ホルダ１０を光軸方向に移動及び停止をさせるホルダ移動停止機構と、ホルダ１０の径方向において外方にホルダ１０の外周面に近接して設けられるとともに、光軸方向に延設された支柱３２とを備えるレンズ駆動装置である。ホルダ１０の外周面に保持されるとともに支柱３２に摺接をし、摺接により発生する摺接抵抗により、移動により発生する慣性を抑制し前記停止を補助する停止補助部材であるグリス９０を更に備える。【選択図】図６
2011112933.tif 000002
【特許請求の範囲】
【請求項１】
レンズユニットを保持するとともに、該レンズユニットの光軸の方向に移動可能なホルダと、
前記ホルダを光軸方向に移動及び停止をさせるホルダ移動停止機構と、
前記ホルダの径方向において外方に前記ホルダの外周面に近接して設けられるとともに、光軸方向に延設された支柱とを備えるレンズ駆動装置において、
前記ホルダの外周面に保持されるとともに前記支柱に摺接をし、
前記摺接により発生する摺接抵抗により、前記移動により発生する慣性を抑制し前記停止を補助する停止補助部材を更に備える
ことを特徴とするレンズ駆動装置。
【請求項２】
レンズユニットを保持するとともに、該レンズユニットの光軸の方向に移動可能なホルダと、
前記ホルダを光軸方向に移動及び停止をさせるホルダ移動停止機構と、
前記ホルダの径方向において外方に前記ホルダの外周面に近接して設けられるとともに、光軸方向に延設された支柱とを備えるレンズ駆動装置において、
前記支柱に保持されるとともに前記ホルダの外周面に摺接をし、
前記摺接により発生する摺接抵抗により、前記移動により発生する慣性を抑制し前記停止を補助する停止補助部材を更に備える
ことを特徴とするレンズ駆動装置。
【請求項３】
前記停止補助部材が、グリスにより形成されている
ことを特徴とする請求項１または２に記載のレンズ駆動装置。
【請求項４】
前記グリスにより形成された前記停止補助部材を保持するための凹陥部が、前記停止補助部材を保持する前記ホルダの外周面または前記支柱に設けられている
ことを特徴とする請求項３に記載のレンズ駆動装置。
【請求項５】
請求項１〜請求項４のいずれか一項に記載のレンズ駆動装置が搭載されていることを特徴とするカメラモジュール。
【請求項６】
請求項５に記載のカメラモジュールが搭載されていることを特徴とする携帯電話。
【発明の詳細な説明】
【技術分野】
【０００１】
本発明は、光軸方向に配設されたシャフトにガイドさせてレンズモジュールを光軸方向に移動させるレンズ駆動装置、およびレンズ駆動装置を搭載したカメラモジュール、携帯電話に関する。
【背景技術】
【０００２】
近年、携帯電話にカメラモジュールが搭載されることが一般化している。かかるカメラモジュールの焦点合わせを手動で行うことは困難であるため、自動合焦機能（オートフォーカス）が必須の機能となっている。このカメラモジュールのオートフォーカスを行うためにレンズ駆動装置が使用されている。一方、携帯電話の薄型化および小型化に伴い、レンズ駆動装置に与えられるスペースを縮小する要請が高まっている。この要請に対応するため、レンズ駆動装置のレンズユニットを駆動させる構造としては、例えば、ムービングマグネット型リニア駆動方式を用いた構造が多く採用されている。このムービングマグネット型リニア駆動方式を用いた構造は、一般に、ステッピングモータを用いた構造と比較して、構成を簡略化できるため、レンズ駆動装置の小型化を達成できることが知られている。かかるムービングマグネット型リニア駆動方式を用いた構造のレンズ駆動装置の一例を図９および図１０に示す。
【０００３】
図９および図１０に示すレンズ駆動装置１０１において、光学レンズ１１１及び鏡筒１１２を備えたレンズユニット１１３を保持するホルダ１１０に磁石１２０が装着されている。一方、カメラモジュール本体に固定されるベース１３０から光軸方向に延設された支柱１３２に、コイル１６０が装着されている。コイル１６０の径方向において外方には更に磁性板１７０が備えられている。ベース１３０には更にホルダ１１０の位置を測定するホール素子１０４が備えられ、ホール素子１０４により測定された位置情報はＣＰＵ（Central Processing Unit）１０５に送られる。また、ＣＰＵ１０５はドライバ１０６を介してホルダ１１０を移動させる。
【０００４】
具体的には、ドライバ１０６がコイル１６０に電流を印加することで生じる電磁駆動力によって、ホルダ１１０に装着された磁石１２０が光軸方向に力を受けることにより、ホルダ１１０がレンズユニット１１３の光軸方向に移動する。電流を停止すると、電磁駆動力も停止するため、ホルダ１１０の移動も停止する。更に、ホルダ１１０に装着された磁石１２０が磁性板１７０にひきつけられることにより、ホルダ１１０の位置は停止した位置に維持される。つまり、上記磁石１２０、コイル１６０、磁性板１７０、ホール素子１０４、ＣＰＵ１０５、ドライバ１０６により、ホルダ１１０を光軸方向に移動及び停止をさせるホルダ移動停止機構が形成されている。
【０００５】
ところが、移動によりホルダ１１０には慣性が発生するため、電流を停止しても即座にホルダ１１０が停止するとは限らない。従って、静止位置が予定していた位置とずれることがある。特に、電磁駆動力に加えて重力の影響を受けてホルダ１１０が移動していた場合は、ホルダ１１０の停止位置のずれが一層大きくなりうる。そこで、係る慣性移動を電磁気力により抑制する技術が提案されている（例えば、特許文献１を参照。）。特許文献１によれば、案内部材とホルダとの間の摩擦力に加えて、慣性移動を抑える電圧を与えることによりホルダを急速に減速させる旨記載されている（例えば、〔請求項１〕、〔０００６〕、〔００１２〕等参照。）。
【先行技術文献】
【特許文献】
【０００６】
【特許文献１】特開２００６−２２０７７６号公報
【発明の概要】
【発明が解決しようとする課題】
【０００７】
しかし、「慣性移動を抑える電圧を与える」ためには、具体的には、移動時とは逆の電圧を、移動時より短い時間与えねばならず、最適時間を含めた制御機能の設計が煩雑となる。また、かかる制御機能を備える回路をホルダ移動停止機構に付加することが必要となり、回路構成が複雑となる。
【０００８】
本発明は、上記実情に鑑みてなされたものであり、複雑な制御機能を付加することなく、慣性によるホルダ停止位置のずれを抑制できるレンズ駆動装置を提供することを目的とする。また、このレンズ駆動装置を搭載したカメラモジュール、および同カメラモジュールを搭載した携帯電話を提供することを目的とする。
【課題を解決するための手段】
【０００９】
本発明にかかるレンズ駆動装置は、レンズユニットを保持するとともに、該レンズユニットの光軸の方向に移動可能なホルダと、前記ホルダを光軸方向に移動及び停止をさせるホルダ移動停止機構と、前記ホルダの径方向において外方に前記ホルダの外周面に近接して設けられるとともに、光軸方向に延設された支柱とを備えるレンズ駆動装置である。前記ホルダの外周面に保持されるとともに前記支柱に摺接をし、前記摺接により発生する摺接抵抗により、前記移動により発生する慣性を抑制し前記停止を補助する停止補助部材を更に備える。
【００１０】
上記構成によると、ホルダの外周面に保持されるとともに支柱に摺接をし、摺接により発生する摺接抵抗により、移動により発生する慣性を抑制し停止を補助する停止補助部材を更に備えるため、慣性により停止が不十分となり、ホルダの実際の停止位置と所望の停止位置との間にずれが生じることを抑制できる。
【００１１】
また、停止補助部材がホルダの外周面に保持されるとともに支柱に摺接することにより、ホルダの外周面と支柱との隙間が埋められるため、ホルダ移動時のがたつきを抑制する効果も期待できる。
【００１２】
なお、摺接抵抗としては、部材同士が摺接することにより発生する動摩擦や、粘着性の部材が接することにより発生する粘着力等が例示される。例えば、動摩擦および粘着力の少なくとも一方が作用すれば、摺接抵抗を発生させることができる。
【００１３】
本発明にかかるレンズ駆動装置は、レンズユニットを保持するとともに、該レンズユニットの光軸の方向に移動可能なホルダと、前記ホルダを光軸方向に移動及び停止をさせるホルダ移動停止機構と、前記ホルダの径方向において外方に前記ホルダの外周面に近接して設けられるとともに、光軸方向に延設された支柱とを備えるレンズ駆動装置である。前記支柱に保持されるとともに前記ホルダの外周面に摺接をし、前記摺接により発生する摺接抵抗により、前記移動により発生する慣性を抑制し前記停止を補助する停止補助部材を更に備える。
【００１４】
上記構成によると、支柱に保持されるとともにホルダの外周面に摺接をし、摺接により発生する摺接抵抗により、移動により発生する慣性を抑制し停止を補助する停止補助部材を更に備えるため、慣性により停止が不十分となり、ホルダの実際の停止位置と所望の停止位置との間にずれが生じることを抑制できる。
【００１５】
また、停止補助部材が支柱に保持されるとともにホルダの外周面に摺接することにより、ホルダの外周面と支柱との隙間が埋められるため、ホルダ移動時のがたつきを抑制する効果も期待できる。
【００１６】
なお、摺接抵抗としては、上記と同様に、部材同士が摺接することにより発生する動摩擦や、粘着性の部材が接することにより発生する粘着力等が例示される。例えば、動摩擦および粘着力の少なくとも一方が作用すれば、摺接抵抗を発生させることができる。
【００１７】
本発明にかかるレンズ駆動装置は、前記停止補助部材が、グリスにより形成されていることが好ましい。
上記構成によると、停止補助部材が、グリスにより形成されているため、汎用安価に停止補助部材が形成できる。また、停止補助部材は支柱またはホルダの外周面に摺接させるため、摺接抵抗が大きすぎると、移動の妨げとなる。グリスであれば、摺接抵抗が過剰となる可能性も小さい。また、粘度等の異なるものが多く市販されていること、及び保持させる量の調整が容易であることから、摺接抵抗の発生要因である動摩擦および粘着力の調節が容易である。
【００１８】
本発明にかかるレンズ駆動装置は、前記グリスにより形成された前記停止補助部材を保持するための凹陥部が、前記停止補助部材を保持する前記ホルダの外周面または前記支柱に設けられていることが好ましい。
【００１９】
上記構成によると、グリスにより形成された停止補助部材を保持するための凹陥部が、停止補助部材を保持するホルダの外周面または前記支柱に設けられているため、グリスにより形成された停止補助部材を容易に保持することができる。また、この凹陥部の形状を変えることにより、グリスの量や摺接面積を容易に調整できるため、摺接抵抗の調整が一層容易となる。
【００２０】
本発明にかかるカメラモジュールは、上述のレンズ駆動装置を搭載したことを特徴とする。上述のレンズ駆動装置はホルダの実際の停止位置と所望の停止位置との間にずれが生じることを抑制したレンズ駆動装置であるため、駆動精度の高いレンズ駆動装置となりうる。従って、このレンズ駆動装置を搭載したカメラモジュールは、精度の高いカメラモジュールとなりうる。
【００２１】
本発明にかかる携帯電話は、上述のカメラモジュールを搭載したことを特徴とする。上述のカメラモジュールは小型かつ高精度のカメラモジュールとなりうるため、携帯電話に搭載するカメラモジュールとして好適である。
【発明の効果】
【００２２】
本発明によれば、複雑な制御機能を付加することなく、慣性によるホルダ停止位置のずれの発生を抑制できるレンズ駆動装置を提供することができる。また、このレンズ駆動装置を搭載したカメラモジュール、および同カメラモジュールを搭載した携帯電話を提供することができる。
【図面の簡単な説明】
【００２３】
【図１】本発明にかかる携帯電話の一実施形態について説明する図面であって、携帯電話の閉じた状態を示す模式図である。
【図２】本発明にかかる携帯電話の一実施形態について説明する図面であって、携帯電話の開いた状態を示す模式図であるとともに、（ａ）は内面を示す斜視図であり、（ｂ）は背面を示す斜視図である。
【図３】本発明にかかる携帯電話の一実施形態について説明する図面であって、カメラモジュールの構成を示す模式図である。
【図４】本発明にかかる携帯電話の一実施形態について説明する図面であって、携帯電話が搭載するカメラモジュールのレンズ駆動装置の分解斜視図である。
【図５】本発明にかかる携帯電話の一実施形態について説明する図面であって、レンズ駆動装置の斜視図である。
【図６】本発明にかかる携帯電話の一実施形態について説明する図面であって、（ａ）はレンズ駆動装置のホルダの斜視図であり、（ｂ）はレンズ駆動装置の平面図である。
【図７】本発明にかかる携帯電話の第２の実施形態について説明する図面であって、（ａ）はグリス挿入前のホルダの部分拡大斜視図であり、（ｂ）はグリス挿入後のホルダの部分拡大斜視図である。
【図８】本発明にかかる携帯電話の第２の実施形態について説明する図面であって、ベースの斜視図である。
【図９】従来のレンズ駆動装置について説明する図面であって、レンズ駆動装置の斜視図である。
【図１０】従来のレンズ駆動装置について説明する図面であって、カメラモジュールの構成を示す模式図である。
【発明を実施するための形態】
【００２４】
（第１の実施形態）
以下、本発明の携帯電話を具体化した携帯電話の一実施形態を図面を用いて説明する。図１に示すように、係る携帯電話はヒンジＨを中心に折り畳む構成の携帯電話である。図１は折り畳んだ状態を示す図であり前面にはカメラモジュールの一部であるカバーガラス９が露出している。図２（ａ）は、この携帯電話を開いて表示部８１、操作部８２を前面にした図である。図２（ｂ）は、開いた携帯電話を背面から見た図である。撮影者は、このように携帯電話を開いた状態でカバーガラス９を撮影したい対象に向けて、表示部８１で画像を確認しつつ、操作部８２を操作することによりシャッターを切り、対象物を撮影することができる。
【００２５】
次に、図３を参照して、本実施形態のレンズ駆動装置１をカメラに搭載する場合のカメラモジュールの構成について説明する。
図３に示すように、レンズ駆動装置１のベース３０側には、フィルタ２とイメージセンサ３とが配置されている。ベース３０には、位置検出素子としてホール素子４が配置される。そして、ホール素子４からの信号に基づいて、レンズモジュール１ａの位置検出が行われる。
【００２６】
合焦動作時、ＣＰＵ（Central Processing Unit）５は、ドライバ６を制御して、レンズモジュール１ａをホームポジションから予め設定された位置まで光軸方向において物側に移動させる。このとき、ホール素子４からの位置検出信号がＣＰＵ５に入力される。同時に、ＣＰＵ５は、イメージセンサ３から入力される信号を処理して撮像画像のコンストラスト値を取得する。かかる動作を繰り返し、コンストラスト値が最良となるレンズモジュール１ａの位置を合焦位置として取得する。
【００２７】
その後、ＣＰＵ５は、かかる合焦位置まで、レンズモジュール１ａを駆動する。具体的には、ＣＰＵ５は、ホール素子４からの信号をモニタし、ホール素子４からの信号が合焦位置に対応する状態になるまで、レンズモジュール１ａを駆動する。かかる動作により、レンズモジュール１ａが合焦位置に移動する。
【００２８】
次に、図４，図５を参照して、レンズモジュール１ａを駆動するレンズ駆動装置１の全体構成について具体的に説明する。レンズ駆動装置１は、光軸方向に移動可能なレンズモジュール１ａと、レンズモジュール１ａに駆動力を与えるとともに、このレンズ駆動装置１が搭載される機器に固定される固定体１ｂとにより構成されている。このレンズ駆動装置１により、レンズモジュール１ａを光軸方向の移動させることにより、オートフォーカスが実現される。また、本実施形態のレンズ駆動装置１は、光軸方向の平面視において、約８．５ｍｍの正方形に形成されており、レンズ駆動装置１の光軸方向の高さが、約３ｍｍに形成されている。
【００２９】
レンズモジュール１ａは、図３も併せて参照して、複数の光学レンズ１１およびこの複数の光学レンズ１１を保持する鏡筒１２からなるレンズユニット１３、同レンズユニット１３を保持する樹脂によって形成されたホルダ１０、およびホルダ１０に固定される複数の磁石２０により構成されている。なお、本実施形態の磁石２０は、互いに周方向に一定の距離を介して、レンズユニット１３を径方向外方より周方向に取り囲むようにホルダ１０に４個固定されている。このホルダ１０は樹脂材料を射出成形することにより形成されている。その際、ホルダ１０を形成するための金型に予め磁石２０を装着し、射出成型と同時に、ホルダを磁石２０とが一体的に成形することもできる。かかる製法を用いることにより、磁石２０とホルダ１０とを接着剤にて接合した場合に比して、磁石２０とホルダ１０との接合強度を向上させることができる。また、磁石２０の取り付け工程が割愛でき、コストダウンにも資する。
【００３０】
このホルダ１０にはともに柱状の２つのシャフトのうち主シャフト５１を挿入する光軸方向の貫通孔である主シャフト孔１５と、副シャフト５２を挿入するための光軸方向の貫通孔である副シャフト孔１６とが備えられている。主シャフト５１および副シャフト５２はレンズユニット１３の光軸方向に配設されているため、主シャフト孔１５の内周面を主シャフト５１の外周面に摺接させるとともに、副シャフト孔１６の内周面を副シャフト５２の外周面に摺接させた状態でホルダ１０を移動させることにより、レンズモジュール１ａを光軸方向に移動させることができる。
【００３１】
固定体１ｂは、レンズ駆動装置１の外枠を構成するベース３０およびカバー４０と、ベース３０に固定されて、ホルダ１０の光軸方向への移動をガイドする上述の主シャフト５１および副シャフト５２からなるシャフトと、電流が印加されることにより磁場を形成するコイル６０とを備えている。また、コイル６０の径方向の外側には、磁性体の鋼板によって形成された長方形の板状の磁性部材である磁性板７０がベース３０に固定されている。
【００３２】
ベース３０には、レンズ駆動装置１の外枠の下面を構成する基部３１と、基部３１より光軸方向に沿って延設される支柱３２とが設けられている。基部３１は、光軸方向の平面視において、正方形に形成される。また、支柱３２は、基部３１の四隅にそれぞれ設けられている。基部３１の中央位置には、円形の貫通孔である開口部３３が形成されている。
【００３３】
支柱３２のうち、主シャフト５１近傍の支柱の物側面は径方向において内方に延設され、レンズモジュール１ａの像側面が接触することにより、物側の移動限度を規定する物側ストッパー３２ａが形成されている。一方、レンズモジュール１ａの像側面が接触することにより像側の移動限度を規定するストッパーはベース３０の像側面を成す基部３１がその機能を果たしている。
【００３４】
物側ストッパー３２ａには主シャフト５１光軸方向における上方の端部（以下、単に、「上端部」とする）を支持するための貫通孔である上端支持孔が設けられている。一方、ベース３０にはレンズユニット１３の光軸方向に中心軸が向けられる主シャフト５１の光軸方向における下方の端部（以下、単に、「下端部」とする）を支持するための凹陥であるシャフト下端支持部（非図示）が更に設けられている。従って、主シャフト５１は上端支持孔により上端部が支持されるとともに、シャフト下端支持部により下端部が支持されている。副シャフト５２の下端部を支持するための凹陥であるシャフト下端支持部（非図示）が、ベース３０には更に設けられており、副シャフト５２はシャフト下端支持部により下端部のみが支持されている。この主シャフト５１及び副シャフト５２に対して摺動可能な態様でホルダ１０が挿入されることにより、上述光軸方向に移動させる力をうけたレンズモジュール１ａは、主シャフト５１及び副シャフト５２にガイドされて、光軸方向に移動可能となる。
【００３５】
更に、レンズ駆動装置１の外側の側面及び上面を構成しているカバー４０は、コイル６０の径方向の外側を外囲するようにベース３０に取り付けられる。また、カバー４０の上面には、複数の支柱３２の光軸方向において上方の端部を挿入するための複数の貫通孔４１を有し、各々に対応する端部を挿入された状態でカバー４０の下部が基部３１に固定される。
【００３６】
ホルダ１０の外周面に保持されるとともに支柱３２に摺接をし、摺接により発生する摺接抵抗により、移動により発生する慣性を抑制し停止を補助する停止補助部材をレンズ駆動装置１は更に備えている。具体的には、図６（ａ）に示すように、ホルダ１０の外周面であって、支柱３２に近接する箇所に、停止補助部材としてのグリス９０が保持されている。この状態でホルダ１０がベース３０に取り付けられると、図６（ｂ）に示すように、ホルダ１０の外周面に近接して設けられた支柱３２にグリス９０がそれぞれ摺接する。そのため、ホルダ１０が光軸方向に移動する際に支柱３２との間に動摩擦および粘着力が発生する。この動摩擦および粘着力により生ずる摺動抵抗により、ホルダ１０を停止させる際に残留する慣性を抑制し、停止位置のずれを小さくすることができる。
【００３７】
この摺動抵抗の大きさは、容易に調整することが可能である。例えば、グリス９０の種類を変えることにより、グリスの粘度や粘着性を変えることができるため、動摩擦および粘着力の大きさも変化する。また、グリス９０の量を変えることによって、支柱３２との摺接面積が変わるため、動摩擦および粘着力の大きさも変化する。従って摺動抵抗も変化する。
【００３８】
更に、グリス９０によって、ホルダ１０の外周面と支柱３２との隙間が埋められるため、ホルダ１０移動時のがたつきを抑制する効果も期待できる。ホルダ１０移動時にがたつきが発生する理由については、多くの原因が考えられ、１要因に帰着させられるものではないが、ホルダ１０の移動時に支柱３２と断続的に接触・離脱を繰り返すことも要因であると考えられている。グリス９０が、ホルダ１０の外周面と支柱３２との間に入ることによって、この接触・離脱の繰り返しを防止できるためである。また、グリス９０が、ホルダ１０の外周面と支柱３２との間に入ることにより、ダンパー剤として機能して、ホルダ１０の光軸方向への移動以外の動きについても全般的に抑制されると考えられる。その結果、接触・離脱の繰り返し以外の原因によるがたつきの発生に対しても、抑制効果が期待できる。更に、がたつきを原因とする騒音発生を抑制する効果も期待できる。
【００３９】
図７（ａ）に示すように、ホルダ１０の外周面であって、支柱３２に近接する箇所には、グリス９０を保持するための凹陥部９１が設けられている。図７（ｂ）に示すようにこの凹陥部９１にグリス９０を塗布することにより、グリス９０がホルダ１０の外周面であって支柱３２に近接する箇所に保持される。この凹陥部９１を設けることにより、グリス９０をホルダ１０の外周面に保持することが容易となる。
【００４０】
本実施形態のレンズ駆動装置１によれば、以下に示す効果を奏することができる。
（１）本実施形態において、ホルダ１０の外周面に保持されるとともに支柱３２に摺接をし、摺接により発生する摺接抵抗により、移動により発生する慣性を抑制し停止を補助する停止補助部材であるグリス９０を備えるため、慣性により停止が不十分となり、ホルダ１０の実際の停止位置と所望の停止位置との間にずれが生じることを抑制できる。
【００４１】
（２）また、グリス９０がホルダ１０の外周面に保持されるとともに支柱３２に摺接することにより、ホルダ１０の外周面と支柱３２との隙間が埋められるため、ホルダ１０移動時のがたつきを抑制する効果も期待できる。
【００４２】
（３）本実施形態において、停止補助部材はグリス９０により形成されているため、汎用安価に停止補助部材が形成できる。また、一般に、停止補助部材は支柱に摺接させるため、摺動抵抗が大きすぎると、移動の妨げとなる。本実施形態のように停止補助部材がグリスであれば、摺動抵抗が過剰となる可能性も小さい。また、粘度等の異なるものが多く市販されていること、及び保持させる量の調整が容易であることから、動摩擦および粘着力からなる摺接抵抗の調整が容易である。
【００４３】
（４）本実施形態において、グリス９０を保持するための凹陥部９１が、ホルダ１０の外周面に設けられているため、グリス９０を容易に保持することができる。また、この凹陥部９１の形状を変えることにより、グリス９０の量や摺接面積を容易に調整できるため、摺接抵抗の調整が一層容易となる。
【００４４】
（５）本実施形態におけるカメラモジュールは、ホルダ１０の実際の停止位置と所望の停止位置との間にずれが生じることを抑制することにより、駆動精度の高く改良されたレンズ駆動装置１を搭載しているため、精度の高いカメラモジュールとなりうる。
【００４５】
（６）また、本実施形態における携帯電話は、小型かつ高精度の上記カメラモジュールを搭載しているため、高精度の撮影機能を有しつつ小型の携帯電話となりうる。従って、小型化が特に求められる携帯電話に好適に用いることができる。
【００４６】
（第２の実施形態）
次に、本発明を具体化した携帯電話の第２の実施形態を図８にしたがって説明する。なお、第２の実施形態は、第１の実施形態のホルダ１０、支柱３２の構造および停止補助部材としてのグリス９０の保持方法を変更したのみの構成であるため、同様の部分についてはその詳細な説明を省略する。
【００４７】
第２の施形態においては、支柱３２に保持されるとともにホルダ１０の外周面に摺接をし、摺接により発生する摺接抵抗により、移動により発生する慣性を抑制し停止を補助する停止補助部材を更に備えている。具体的には、図８に示すように、支柱３２上であって、ホルダ１０の外周面に近接する箇所に、停止補助部材としてのグリス９０が保持されている。この状態でホルダ１０がベース３０に取り付けられると、ホルダ１０の外周面に近接して設けられた支柱３２のグリス９０がホルダ１０の外周面にそれぞれ摺接する。そのため、ホルダ１０が光軸方向に移動する際に支柱３２との間に摩擦が発生する。この摩擦により、ホルダ１０を停止させる際に残留する慣性を抑制し、停止位置のずれを小さくすることができる。
【００４８】
この摺動抵抗の大きさは、容易に調整することが可能である。例えば、グリス９０の種類を変えることにより、グリスの粘度や粘着性を変えることができるため、動摩擦および粘着力の大きさも変化する。また、グリス９０の量を変えることによって、ホルダ１０との摺接面積が変わるため、動摩擦および粘着力の大きさも変化する。従って摺動抵抗も変化する。ここで、第２の施形態においては、ホルダ１０がどの位置に移動した場合であってもグリス９０がホルダ１０の外周面に常に摺接するように、グリス９０は光軸方向に延設された状態で、保持されている。
【００４９】
更に、グリス９０によって、ホルダ１０の外周面と支柱３２との隙間が埋められるため、ホルダ１０移動時のがたつきを抑制する効果も期待できる。グリス９０が、ホルダ１０の外周面と支柱３２との間に入ることによって、第１の実施形態と同様の理由により、ホルダ１０の外周面と支柱３２との接触・離脱の繰り返しを防止できるためである。
【００５０】
ホルダ１０の外周面と近接する支柱３２の部分には、グリス９０を保持するための凹陥部９２が設けられている。この凹陥部９２にグリス９０を塗布することにより、グリス９０がホルダ１０の外周面と近接する支柱３２の部分に保持される。この凹陥部９２を設けることにより、グリス９０を支柱３２に保持することが容易となる。
【００５１】
第２の実施形態のレンズ駆動装置１によれば、以下に示す効果を奏することができる。
（１）第２の実施形態において、支柱３２に保持されるとともにホルダ１０の外周面に摺接をし、摺接により発生する摺接抵抗により、移動により発生する慣性を抑制し停止を補助する停止補助部材であるグリス９０を備えるため、慣性により停止が不十分となり、ホルダ１０の実際の停止位置と所望の停止位置との間にずれが生じることを抑制できる。
【００５２】
（２）また、グリス９０が支柱３２に保持されるとともにホルダ１０の外周面に摺接することにより、ホルダ１０の外周面と支柱３２との隙間が埋められるため、ホルダ１０移動時のがたつきを抑制する効果も期待できる。
【００５３】
（３）第２の実施形態において、停止補助部材はグリス９０により形成されているため、汎用安価に停止補助部材が形成できる。また、一般に、停止補助部材は支柱に摺接させるため、摩擦が大きすぎると、移動の妨げとなる。本実施形態のように停止補助部材がグリスであれば、摩擦が過剰となる可能性も小さい。また、粘度等の異なるものが多く市販されていること、及び保持させる量の調整が容易であることから、摺接抵抗の調整が容易である。
【００５４】
（４）第２の実施形態において、グリス９０を保持するための凹陥部９２が、支柱３２に設けられているため、グリス９０を容易に保持することができる。また、この凹陥部９２の形状を変えることにより、グリス９０の量や摺接面積を容易に調整できるため、摺接抵抗の調整が一層容易となる。
【００５５】
（５）第２の実施形態におけるカメラモジュールは、ホルダ１０の実際の停止位置と所望の停止位置との間に生じるずれを抑制することにより、駆動精度の高く改良されたレンズ駆動装置１を搭載しているため、精度の高いカメラモジュールとなりうる。
【００５６】
（６）また、本実施形態における携帯電話は、小型かつ高精度の上記カメラモジュールを搭載しているため、高精度の撮影機能を有しつつ小型の携帯電話となりうる。従って、小型化が特に求められる携帯電話に好適に用いることができる。
【００５７】
なお、本実施形態は以下のように変更してもよい。
・第１の実施形態において、グリス９０により形成された停止補助部材を保持するための凹陥部９１がホルダの外周面に設けられている。また、第２の実施形態において、グリス９０により形成された停止補助部材を保持するための凹陥部９２が支柱３２に設けられている。いずれも他の構成であっても良い。要はグリス９０を保持できれば良いのであるから、凹陥部９１または凹陥部９２に限らず、停止補助部材を保持する構造であればどのようなものであってもよい。例えば、グリス９０を保持するための粗面構造等が形成されていても良い。また、停止補助部材の保持に問題が生じないのであれば、停止補助部材を保持する構造そのものを割愛しても良い。
【００５８】
・上記実施形態において、停止補助部材はグリス９０により形成されているが、他の構成であっても良い。摺接により発生する摺接抵抗により、移動により発生する慣性を抑制できればよいのであるから、布や繊維質の部材、ゴムやラバー、樹脂等であっても良い。但し、摩擦が大きすぎる場合はホルダ１０の移動の妨げとなりうるので、適度な摩擦を得られるものを適時選択しても良い。
【００５９】
・上記実施形態においてレンズ駆動装置１は、カメラモジュールに搭載したが、他の構成であっても良い。例えば、望遠鏡、顕微鏡、双眼鏡等の他の光学機器に搭載することにより、かかる光学機器にオートフォーカス機能を付加することが可能となる。
【００６０】
・上記実施形態においてカメラモジュールは携帯電話に搭載したが、他の構成であっても良い。コンパクトデジタルカメラ、デジタル一眼レフカメラであってもよいし、銀塩写真用のカメラに搭載しても良い。また、動画撮影用のデジタルビデオカメラやフィルムカメラに搭載しても良い。
【符号の説明】
【００６１】
１…レンズ駆動装置、１ａ…レンズモジュール、１ｂ…固定体、２…フィルタ、３…イメージセンサ、４…ホール素子、５…ＣＰＵ、６…ドライバ、９…カバーガラス、１０…ホルダ、１１…光学レンズ、１２…鏡筒、１３…レンズユニット、１５…主シャフト孔、１６…副シャフト孔、２０…磁石、３０…ベース、３１…基部、３２…支柱、３２ａ…物側ストッパー、３３…開口部、４０…カバー、４１…貫通孔、５１…主シャフト、５２…副シャフト、６０…コイル、７０…磁性板、８１…表示部、８２…操作部、９０…グリス（停止補助部材）、９１…凹陥部、９２…凹陥部、１０１…レンズ駆動装置、１０４…ホール素子、１０５…ＣＰＵ、１０６…ドライバ、１１０…ホルダ、１１１…光学レンズ、１１２…鏡筒、１１３…レンズユニット、１２０…磁石、１３０…ベース、１３２…支柱、１６０…コイル、１７０…磁性板、Ｈ…ヒンジ。
【図１】
2011112933.tif 000003
【図２】
2011112933.tif 000004
【図３】
2011112933.tif 000005
【図４】
2011112933.tif 000006
【図５】
2011112933.tif 000007
【図６】
2011112933.tif 000008
【図７】
2011112933.tif 000009
【図８】
2011112933.tif 000010
【図９】
2011112933.tif 000011
【図１０】
2011112933.tif 000012